(57)【要約】【課題】  カラオケの歌唱採点を行ったのち歌唱ランキングを表示する際、参加者が多数になればなるほど密集して、ある期間ごとにリセットしなくてはならない不都合を解消することを目的とする。【解決手段】  センターサーバ装置は、複数の前記カラオケ装置から受信した楽曲採点におけるランキングデータを直近の所定回数で更新し、楽曲番号別に順位付けした採点ランキングデータを逐次作成して記憶部に記憶するようにするとともに、カラオケ端末装置は、少なくともある楽曲の演奏を開始する前に、この楽曲における採点におけるランキングデータを取得し、楽曲の演奏終了時点での採点ランキング情報を算出して、表示するようにした。【選択図】図１
2014130301.tif 000002
【特許請求の範囲】
【請求項１】
カラオケ楽曲及びこれらに付随するデータを配信するセンターサーバ装置と、このセンターサーバ装置に複数のカラオケ端末装置とが通信網を介して接続される通信カラオケシステムにおいて、
複数の前記カラオケ端末装置は、楽曲の演奏を終了した際、採点手段が出力した最終の得点と当該楽曲の楽曲番号とを対応付けてなる楽曲採点データをセンターサーバ装置に送信し、
前記センターサーバ装置は、複数の前記カラオケ装置から受信した楽曲採点におけるランキングデータを直近の所定回数で更新し、楽曲番号別に順位付けした採点ランキングデータを逐次作成して記憶部に記憶するようにするとともに、
前記カラオケ端末装置は、少なくともある楽曲の演奏を開始する前に、この楽曲における採点におけるランキングデータを取得し、前記カラオケ端末装置は、楽曲の演奏を開始し、センターサーバ装置から受信した採点ランキング情報に基づいて、楽曲の演奏終了時点での採点ランキング情報を算出して、表示するようにしたことを特徴とする通信カラオケシステム。
【請求項２】
前記カラオケ端末装置は、楽曲の演奏を終了した際、採点手段が出力した最終の得点と当該楽曲の楽曲番号とを対応付けてなる楽曲採点データをセンターサーバ装置に送信するときに歌唱者情報も対応づけて送信しておき、少なくともある楽曲の演奏を開始する前に、センターサーバ装置からこの楽曲におけるランキングに対応する歌唱者情報も取得して採点を行い、採点ランキング情報と歌唱者情報も同時に表示することを特徴とする前記請求項１記載の通信カラオケシステム。
【請求項３】
前記カラオケ端末装置は、センターサーバ装置から受信した採点ランキング情報に基づいて、楽曲の演奏終了時点での採点ランキング情報を算出する際、直近の所定回数のうち古いランキングデータを更新して、当該演奏採点データを加えて表示するようにしたことを特徴とする前記請求項１乃至２記載の通信カラオケシステム。
【発明の詳細な説明】
【技術分野】
【０００１】
本発明は、カラオケ装置に関し、具体的には、歌唱採点機能を備えたカラオケ装置において、同じ曲を歌った他の人の歌唱採点結果を全国規模で比較できるようにした技術に関する。
【背景技術】
【０００２】
カラオケ端末装置には歌唱採点機能があり、この機能により音程や発音タイミングの差によって得点を算出する。そこで、歌唱採点機能が利用されるとその利用機会に算出した得点をセンターサーバ装置に送信し、センターサーバ装置は各地のカラオケ端末装置から歌唱得点を収集して採点ランキングなどにまとめてその収集情報を各地のカラオケ端末装置に配信し、カラオケ端末装置は、配信された情報を適宜に表示出力して利用者に提示する。
【０００３】
たとえば、特許文献１に記載の通信カラオケシステムによれば、カラオケ端末装置が利用者を特定するための利用者ＩＤを取得することで、誰が何を歌って何点取ったのかをセンターサーバ装置に送信するようになっている。センターサーバ装置はその送信情報に基づいて月間あるいは年間など所定期間ごとに採点ランキングを作成する。
【０００４】
それによって、例えば、これをカラオケ端末装置に配信し、利用者は、カラオケ端末装置に採点ランキングを表示させ、自身がランキング中のどの位置にいるのかを知ることができる。また、カラオケ事業者が所定期間の区切りごとに採点ランキングの上位利用者に賞品などを送付するサービスを提供することもできるようになっている。
【先行技術文献】
【特許文献】
【０００５】
【特許文献１】特許第４１３７７５２号公報
【発明の概要】
【発明が解決しようとする課題】
【０００６】
しかしながら、このような特許文献１で示されるようなカラオケランキングは、所定期間、例えば月間で行う場合には月初ではランキングの上位に入りやすいが、月末では、ランキングが密集してしまい上位に入ることは難しくなってきてしまう。すなわち、ある期間で集計してランキングを争う歌合戦の場合、集計期間が長いと多数の歌唱者が歌うのでランキング集計の母集団が大きくなる。そのため上位の順位に入るのは極めて難しくなる。
【０００７】
また人気曲の場合は、短期間でも極めて多数の歌唱者が争うことになり、ランキング集計の母集団が大きくなる。このようにランキング集計の母集団が大きくなると、上位の順位に入るのは極めて難しくなる。
そこでカラオケ運営会社では、月間でランキングを争う場合には、月ごとにランキングデータをリセットして対応する以外に方法がなく、カラオケランキングの楽しみ方が面白くないばかりか、カラオケ運営会社の管理も負担になっていた。
【０００８】
本発明は、これらの点に鑑み、歌唱採点によるカラオケランキングサービスおいて、期間に関係なく、歌唱者の歌唱ランキングが一定でわかりやすく、表示できるようにしたカラオケシステムを提供することを目的とする。
【課題を解決するための手段】
【０００９】
上記目的を達成するため本発明の請求項1は、カラオケ端末装置は、楽曲の演奏を終了した際、採点手段が出力した最終の得点と当該楽曲の楽曲番号とを対応付けてなる楽曲採点データをセンターサーバ装置に送信するようにしている。そしてこのカラオケ端末装置は、少なくともある楽曲の演奏を開始する前に、この楽曲における採点におけるランキンデータをセンターサーバ装置から取得して、楽曲の演奏を開始し、歌唱採点結果によるランキングを表示するものであって、センターサーバ装置は、複数のカラオケ装置から受信した楽曲採点におけるランキングデータを直近の所定回数で更新することによって、常に所定回数（所定人数）で歌合戦を行ったようなデータが取得できる。
【００１０】
カラオケ端末装置は、楽曲の演奏を終了した際、採点手段が出力した最終の得点と当該楽曲の楽曲番号とを対応付けてなる楽曲採点データをセンターサーバ装置に送信するときに例えば歌唱者のニックネームやＩＤ情報など歌唱者情報も対応づけて送信する。そして各カラオケ装置は、センターサーバ装置からランキングデータを取得して、採点に基づくランキング情報を表示する際、各ランキングに対応する歌唱者情報も表示できるようにした。
【００１１】
さらにカラオケ端末装置は、センターサーバ装置から受信した採点ランキング情報に基づいて、楽曲の演奏終了時点での採点ランキング情報を算出する際、直近の所定回数のうち古いランキングデータを更新（削除）して、今回歌唱した採点データを加えるようにしたものである。
【発明の効果】
【００１２】
本発明によると、歌唱ランキングは、常に所定回数（所定人数）例えば１００人分のデータであれば、常に１００人で歌合戦を行っているような感じになり、従来のように月初や月末でランキングデータに極端な偏りがなく一定のランキング（歌合戦）が楽しめる。
【図面の簡単な説明】
【００１３】
【図１】本発明の一実施例を示すカラオケシステムの概念説明図。
【図２】本発明の一実施例を示すセンターサーバ装置におけるデータ更新の説明図。
【図３】本発明の一実施例を示すディスプレイ表示例説明図。
【図４】本発明の一実施例を示すディスプレイ表示例説明図。
【図５】本発明の一実施例を示すカラオケ端末装置とセンターサーバ装置の動作フロー説明図。
【発明を実施するための形態】
【００１４】
以下に本発明の実施例を図に基づいて説明する。図１に示すカラオケシステム１は、カラオケ楽曲及びこれらに付随するデータを配信するセンターサーバ装置２と、このセンターサーバ装置２に複数のカラオケ端末装置３とがネットワーク網５を介して接続されるカラオケシステム１を示すものである。
【００１５】
複数のカラオケ端末装置３は、楽曲の演奏を終了した際、カラオケ端末装置３の採点手段が出力した最終の得点とこの楽曲の楽曲番号とを対応付けてなる楽曲採点データをセンターサーバ装置２に送信するようになっており、さらにセンターサーバ装置２は、複数のカラオケ装置３から受信した楽曲採点におけるランキングデータ６を直近の所定回数で更新し、楽曲番号別に順位付けした採点ランキングデータ６を記憶部（図示せず）に記憶し蓄積している。すなわち直近（例えば１００回）の採点データを常に更新している。
【００１６】
カラオケ端末装置３は、少なくともある楽曲の演奏を開始する前に、この楽曲における採点におけるランキングデータを取得するようにしている。例えば、毎朝全楽曲のランキングデータの更新を行うか、歌唱者が楽曲を演奏予約したタイミングで楽曲毎のランキング更新データを取得するようにする。
【００１７】
図５に示したものは、カラオケ端末装置３とセンターサーバ装置２の動作フロー説明図であり、カラオケ端末装置３の楽曲毎に歌唱された採点データをセンターサーバ装置２に送信するようにしている（ステップ２１）。センターサーバ装置２側では、受信した（ステップ２２）楽曲毎の採点データに基づきランキングデータを直近の所定回数で更新していく（ステップ２３）。そして各カラオケ端末装置３に例えば、毎朝あるいは、カラオケ端末装置からの要求に基づいたタイミングでデータを送信している（ステップ２４、ステップ２５）。
【００１８】
各カラオケ端末装置３は、楽曲の演奏を開始し、センターサーバ装置２から受信した採点ランキング情報により、楽曲の演奏終了時点での採点に基づき歌唱のランキングを算出して、ディスプレイ４に表示するようにする。
【００１９】
カラオケ端末装置３は、楽曲の演奏を終了した際、採点手段が出力した最終の得点と楽曲毎の楽曲番号とを対応付けて楽曲採点データをセンターサーバ装置２に送信する。その際、歌唱者があらかじめ登録した会員のニックネーム等の情報も対応づけて送信するようにしている。
【００２０】
こうすることで、少なくともある楽曲の演奏を終了した時に、ランキングデータとともに、歌唱コンテストで自分のニックネームが入っていれば、参加意識が高まる。また第三者である歌唱者がニックネームを見ることで競争意識も高まる。もちろん、ニックネームをつけずに歌唱コンテストに参加できる。その場合は、参加者（歌唱者）の地域情報などが表示されれば良い。
【００２１】
このようにカラオケ端末装置３は、センターサーバ装置２から受信した採点ランキング情報に基づいて、楽曲の演奏終了時点での採点ランキング情報を算出する際、直近の所定回数のうち古いランキングデータを削除（更新）して、演奏採点データを加えて表示するようにすれば常に、所定回数分のランキングデータが表示される。すなわち、センターサーバ装置２で集計するのではなく、カラオケ端末装置３側でも臨時で暫定的に所定回数分のランキングデータが集計され、「歌唱コンテスト１００人歌合戦」が実施できる。
【００２２】
図３は、カラオケ端末装置３に接続されたディスプレイ４に表示されたランキングリストであり、適宜なリモコンで、楽曲毎のランキングデータを表示されるようにしたものである。また、図４は、歌唱を行った際に、歌唱者のニックネームで最終得点と順位（ランキング）が表示された例である。ニックネームを付けずに歌唱した場合は、単に「あなたの得点と順位」としても良い。
【００２３】
以上の構成により、センターサーバ装置２は、複数のカラオケ装置３から受信した楽曲採点におけるランキングデータ６を直近の所定回数（所定人数）で更新することによって、ランキング競争する母集団のバラツキをなくし、常に所定人数で歌合戦を行うサービスが展開できるばかりか、月初や月末など歌った時期に関係なく、データを所定期間毎にリセットすることもなくカラオケ利用者は安定したサービスを受けられる。
【符号の説明】
【００２４】
１…カラオケシステム
２、１２…センターサーバ装置
３、１３…カラオケ端末装置
４…ディスプレイ
５…ネットワーク網
６…ランキングデータ
７、８…ディスプレイ表示例
【図１】
2014130301.tif 000003
【図２】
2014130301.tif 000004
【図３】
2014130301.tif 000005
【図４】
2014130301.tif 000006
【図５】
2014130301.tif 000007